(57)【要約】  【課題】    複数のセンサウェルユニットについて全反射減衰の状態を測定する測定方法および測定装置において、測定のスループットを向上させる。  【解決手段】  測定装置に、センサウェルユニット20と、試料の分析を行う測定手段としての表面プラズモン共鳴測定装置５と、センサウェルユニット20を保管する恒温部３と、センサウェルユニット20の温度を測定する温度センサ９と、センサウェルユニット20を恒温部３、測定部４および装置外部に選択的に配置する搬送手段７と、表面プラズモン共鳴測定装置５および搬送手段７等を制御する制御手段としてのＣＰＵ２等とを備え、ＣＰＵ２により、恒温部３内に保管されたセンサウェルユニット20の温度が目標温度Ｔｇになるまでの所要時間ｔｇを推定し、恒温部３内に複数のセンサウェルユニット20が保管されている際に、搬送手段７に、所要時間ｔｇが早く経過したセンサウェルユニット20から順に表面プラズモン共鳴測定装置５へ搬送させて測定を行うようにする。【選択図】          図１
2005274417.tif 000002
【特許請求の範囲】
【請求項１】
誘電体ブロック、該誘電体ブロックの上面に設けられた薄膜層、該薄膜層上に試料を保持する試料保持部を備えたセンサウェルユニットと、光ビームを出射する光源、前記センサウェルユニットを所定位置に着脱自在に保持するセンサ保持手段、前記光ビームを、前記誘電体ブロックに対して、前記誘電体ブロックの上面と前記薄膜層との界面で全反射条件が得られる入射角度で入射させる光ビーム入射手段、および前記界面で反射された光ビームに基づいて、前記薄膜層上の測定対象物の屈折率情報を取得する屈折率情報取得手段を備えた測定手段と、所定温度に管理され、複数の前記センサウェルユニットを保管する恒温部とを備えた測定装置を用いて、前記センサウェルユニットの温度が前記所定温度に近い目標温度なるまで前記恒温部内に前記センサウェルユニットを保管し、前記目標温度となった前記センサウェルユニットについて、前記測定手段により測定を行う測定方法において、
前記センサウェルユニットの温度を測定し、
測定した前記センサウェルユニットの温度と、前記恒温部の前記所定温度との差に基づいて、前記恒温部内に保管した前記センサウェルユニットの温度が前記目標温度になるまでの所要時間を推定し、
前記恒温部内に複数の前記センサウェルユニットを保管した際に、前記所要時間が早く経過した前記センサウェルユニットから順に、前記恒温部から取り出して測定を行うことを特徴とする測定方法。
【請求項２】
誘電体ブロック、該誘電体ブロックの上面に設けられた薄膜層、該薄膜層上に試料を保持する試料保持部を備えたセンサウェルユニットと、
光ビームを出射する光源、前記センサウェルユニットを所定位置に着脱自在に保持するセンサ保持手段、前記光ビームを、前記誘電体ブロックに対して、前記誘電体ブロックの上面と前記薄膜層との界面で全反射条件が得られる入射角度で入射させる光ビーム入射手段、および前記界面で反射された光ビームに基づいて、前記薄膜層上の測定対象物の屈折率情報を取得する屈折率情報取得手段を備えた測定手段と、
所定温度に管理され、複数の前記センサウェルユニットを保管する恒温部と、
前記センサウェルユニットの温度を測定する温度測定手段と、
前記センサウェルユニットを、前記恒温部内から前記測定手段の前記所定位置へ搬送する搬送手段と、
前記搬送手段を制御する制御手段とを備え、
該制御手段が、前記温度測定手段により測定された前記センサウェルユニットの温度と、前記恒温部の前記所定温度との差に基づいて、前記恒温部内に保管された前記センサウェルユニットの温度が前記所定温度に近い目標温度になるまでの所要時間を推定し、前記恒温部内に複数の前記センサウェルユニットが保管されている際に、前記搬送手段に、前記所要時間が早く経過した前記センサウェルユニットから順に前記測定手段へ搬送させるものであることを特徴とする測定装置。
【発明の詳細な説明】
【技術分野】
【０００１】
本発明は、表面プラズモンの発生を利用して試料中の物質を分析する表面プラズモン共鳴測定装置等の測定方法および測定装置に関するものである。
【背景技術】
【０００２】
金属中においては、自由電子が集団的に振動して、プラズマ波と呼ばれる粗密波が生じる。そして、金属表面に生じるこの粗密波を量子化したものは、表面プラズモンと呼ばれている。
【０００３】
従来より、この表面プラズモンが光波によって励起される現象を利用して、試料中の物質を定量分析する表面プラズモン共鳴測定装置が種々提案されている。そして、それらの中で特に良く知られているものとして、 Kretschmann配置と称される系を用いるものが挙げられる（例えば特許文献１参照）。
【０００４】
上記の系を用いる表面プラズモン共鳴測定装置は基本的に、例えばプリズム状に形成された誘電体ブロックと、この誘電体ブロックの一面に形成されて試料に接触させられる金属膜と、光ビームを発生させる光源と、上記光ビームを誘電体ブロックに対して、該誘電体ブロックと金属膜との界面で全反射条件が得られ、かつ表面プラズモン共鳴による全反射減衰が生じ得るように種々の角度で入射させる光学系と、上記界面で全反射した光ビームの強度を測定して全反射減衰角もしくはその変化に関する情報を取得する情報取得手段とを備えてなるものである。
【０００５】
なお上述のように種々の入射角を得るためには、比較的細い光ビームを入射角を変えて上記界面に入射させてもよいし、あるいは光ビームに種々の角度で入射する成分が含まれるように、比較的太い光ビームを上記界面に収束光状態であるいは発散光状態で入射させてもよい。前者の場合は、入射した光ビームの入射角の変化にしたがって反射角が変化する光ビームを、上記反射角の変化に同期して移動する小さな光検出器によって検出したり、反射角の変化方向に沿って延びるエリアセンサによって検出することができる。一方後者の場合は、種々の反射角で反射した光ビームの成分を全て受光できる方向に延びるエリアセンサによって検出することができる。
【０００６】
上記構成の表面プラズモン共鳴測定装置において、光ビームを金属膜に対して全反射角以上の特定入射角θSPで入射させると、該金属膜に接している試料中に電界分布をもつエバネッセント波が生じ、このエバネッセント波によって金属膜と試料との界面に表面プラズモンが励起される。エバネッセント光の波数ベクトルが表面プラズモンの波数と等しくて波数整合が成立しているとき、両者は共鳴状態となり、光のエネルギーが表面プラズモンに移行するので、誘電体ブロックと金属膜との界面で全反射した光の強度が鋭く低下する。この光強度の低下は、一般に光検出手段により暗線として検出される。
【０００７】
なお上記の共鳴は、入射ビームがｐ偏光のときにだけ生じる。したがって、光ビームがｐ偏光で入射するように予め設定しておく、もしくは、ｐ偏光成分のみを検出するように設定しておく必要がある。
【０００８】
この全反射減衰（ＡＴＲ）が生じる入射角θSPから表面プラズモンの波数が分かると、試料の誘電率が求められる。すなわち表面プラズモンの波数をＫSP、表面プラズモンの角周波数をω、ｃを真空中の光速、εｍ  とεS  をそれぞれ金属、試料の誘電率とすると、以下の関係がある。
【数１】
2005274417.tif 000003
【０００９】
試料の誘電率εS  が分かれば、所定の較正曲線等に基づいて試料中の特定物質の濃度が分かるので、結局、全反射減衰角を知ることにより、特定物質の定量分析を行うことができる。
【００１０】
また、全反射減衰（ＡＴＲ）を利用する類似のセンサとして、例えば非特許文献１の第２１〜２３頁および第２６〜２７頁に記載がある漏洩モードセンサも知られている。この漏洩モードセンサは基本的に、例えばプリズム状に形成された誘電体ブロックと、この誘電体ブロックの一面に形成されたクラッド層と、このクラッド層の上に形成されて、試料に接触させられる光導波層と、光ビームを発生させる光源と、上記光ビームを上記誘電体ブロックに対して、該誘電体ブロックとクラッド層との界面で全反射条件が得られ、かつ光導波層での導波モードの励起による全反射減衰が生じ得るように種々の角度で入射させる光学系と、上記界面で全反射した光ビームの強度を測定して導波モードの励起状態、つまり全反射減衰角もしくはその変化に関する情報を取得する情報取得手段とを備えてなるものである。
【００１１】
上記構成の漏洩モードセンサにおいて、光ビームを誘電体ブロックを通してクラッド層に対して全反射角以上の入射角で入射させると、光導波層においてエバネッセント波が発生し、ある特定の波数を有するエバネッセント波が導波モードで伝搬するようになる。こうして導波モードが励起されると、該特定の波数を有するエバネッセント波を発生させた入射光のほとんどが光導波層に取り込まれるので、上記界面で全反射する光の強度が鋭く低下する全反射減衰が生じる。そして導波光の波数は光導波層の上の試料の屈折率に依存するので、全反射減衰が生じる上記特定入射角を知ることによって、試料の屈折率や、それに関連する試料の特性を分析することができる。
【００１２】
また、以上のような測定装置は、バイオセンサとして、薄膜上（表面プラズモン共鳴測定装置の場合は金属膜上、漏洩モードセンサの場合は光導波層上）に特定物質（例えば抗原）と結合するセンシング物質（例えば抗体）を配し、各検体についてそのセンシング物質との結合の有無および／または結合状態を測定する等の試料分析に用いられる。このような試料分析方法としては、各検体を含む試料液の溶媒による屈折率変化の影響を排除するために、その溶媒と同一のバッファ液のみをウェルに分注し、検体を含まない状態での屈折率情報（例えば、全反射減衰角）を取得し、その後、液体試料を分注して反応後の屈折率情報状態を測定することにより検体のみの反応を正確に抽出する方法が提案されている。
【００１３】
なお、表面プラズモン共鳴測定装置としては、前述の全反射減衰を生じる特定入射角の測定をする装置のほか、複数の波長の光ビームを界面に入射させ、各波長毎の全反射減衰の程度を検出する装置、あるいは、光ビームを界面に入射させるとともに、この光ビームの一部を、界面入射前に分割し、この分割した光ビームを界面で反射した光ビームと干渉させて、該干渉の状態を測定する装置等種々のタイプがある。いずれも、薄膜層上の測定対象物の屈折率もしくはその変化に関する情報を間接的に取得することにより測定対象物の分析等に用いられる測定装置である。
【００１４】
以上説明したタイプの測定装置においては、試料交換等測定時のハンドリングの効率化を図るために、上述の誘電体ブロックと、誘電体ブロックの上面に配された薄膜層と、該薄膜層上に試料を保持する試料保持部とが一体的に形成されたセンサウェルユニットが特許文献２等において提案されている。特許文献２において提案されているセンサウェルユニットは、誘電体からなる本体に、その上面に開口する検体ウェル（従来の試料保持部）を設け、該検体ウェルの内底面に薄膜層を設けてなるものであり、本体の検体ウェル下部が従来の誘電体ブロックとして光ビームの入出力部の役割を担うものとして構成されている。また、多数の試料についての測定を高速に行うためおよびハンドリングのさらなる効率化のために、バー状もしくはプレート状の誘電体からなる本体に検体ウェルを１次元状もしくは２次元状に複数備えてなるセンサウェルユニットが提案されており、該センサウェルユニットの複数の検体ウェルに対して並列的に複数の光ビームを入射させ、各ウェルの界面における反射光を個別に検出する測定装置も提案されている。
【特許文献１】特開平6−167443号
【特許文献２】特開2002−296172号
【非特許文献１】「分光研究」第４７巻 第１号（１９９８）
【発明の開示】
【発明が解決しようとする課題】
【００１５】
前述の通り、同一検体ウェルについて時間をおいて複数回測定し、検体とセンシング物質の結合の有無を含む結合状態の変化を調べる場合、複数の試料についての効率的な測定を行うために、１回目の測定が終了した第１のセンサウェルユニットを測定部（のセンサ保持手段）から取外し、第２のセンサウェルユニットを測定部に設置して測定を行い、もう一度第１のセンサウェルユニットを設置して測定を行うという動作を繰り返すバッチ処理を行うことがある。この場合、センサウェルユニットの温度を各測定毎に一定に管理しないと温度変動による測定誤差を生じてしまうため、センサウェルユニットの温度が所定の温度になるまでインキュベーター等の恒温部に保管する必要がある。
【００１６】
しかしながら、測定を行うために恒温部から搬出されたセンサウェルユニットは、恒温部外の空気との温度差や、試料の化学反応による発熱等によって個々に温度が変動するため、測定が終了した後、恒温部内で所定の温度になじませるまでに掛かる時間がセンサウェルユニット毎に異なる。そのため、温度差の大きいセンサウェルユニットに合わせてある程度の時間恒温部内で保管しないと、全てのセンサウェルユニットを所定温度になじませることができないため、測定のスループットが低下してしまう。なお、恒温部内に保管される全てのセンサウェルユニット毎に温度センサを設けて温度を監視し、所定温度になじんだセンサウェルユニットから測定を行うようにすることによりスループットの低下は避けられるが、コストの面からは不適当である。
【００１７】
本発明は上記事情に鑑みて、恒温部内でセンサウェルユニットの温度管理を行う場合に、スループットの高い測定方法および測定装置を提供することを目的とする。
【課題を解決するための手段】
【００１８】
本発明による測定方法は、誘電体ブロック、誘電体ブロックの上面に設けられた薄膜層、薄膜層上に試料を保持する試料保持部を備えたセンサウェルユニットと、光ビームを出射する光源、センサウェルユニットを所定位置に着脱自在に保持するセンサ保持手段、光ビームを、誘電体ブロックに対して、誘電体ブロックの上面と薄膜層との界面で全反射条件が得られる入射角度で入射させる光ビーム入射手段、および前記界面で反射された光ビームに基づいて、薄膜層上の測定対象物の屈折率情報を取得する屈折率情報取得手段を備えた測定手段と、所定温度に管理され、複数のセンサウェルユニットを保管する恒温部とを備えた測定装置を用いて、センサウェルユニットの温度が前記所定温度に近い目標温度なるまで恒温部内にセンサウェルユニットを保管し、前記目標温度となったセンサウェルユニットについて、測定手段により測定を行う測定方法において、センサウェルユニットの温度を測定し、測定したセンサウェルユニットの温度と、恒温部の前記所定温度との差に基づいて、恒温部内に保管したセンサウェルユニットの温度が前記目標温度になるまでの所要時間を推定し、恒温部内に複数のセンサウェルユニットを保管した際に、所要時間が早く経過したセンサウェルユニットから順に、恒温部から取り出して測定を行うことを特徴とするものである。
【００１９】
また、本発明による測定装置は、誘電体ブロック、誘電体ブロックの上面に設けられた薄膜層、薄膜層上に試料を保持する試料保持部を備えたセンサウェルユニットと、光ビームを出射する光源、センサウェルユニットを所定位置に着脱自在に保持するセンサ保持手段、光ビームを、誘電体ブロックに対して、誘電体ブロックの上面と薄膜層との界面で全反射条件が得られる入射角度で入射させる光ビーム入射手段、および前記界面で反射された光ビームに基づいて、薄膜層上の測定対象物の屈折率情報を取得する屈折率情報取得手段を備えた測定手段と、所定温度に管理され、複数のセンサウェルユニットを保管する恒温部と、センサウェルユニットの温度を測定する温度測定手段と、センサウェルユニットを、恒温部内から測定手段の前記所定位置へ搬送する搬送手段と、搬送手段を制御する制御手段とを備え、制御手段が、温度測定手段により測定されたセンサウェルユニットの温度と、恒温部の前記所定温度との差に基づいて、恒温部内に保管されたセンサウェルユニットの温度が前記所定温度に近い目標温度になるまでの所要時間を推定し、恒温部内に複数のセンサウェルユニットが保管されている際に、搬送手段に、所要時間が早く経過したセンサウェルユニットから順に測定手段へ搬送させるものであることを特徴とするものである。
【００２０】
本発明の測定方法に用いる測定装置、および本発明の測定装置は、前記薄膜層を、金属膜からなるものとし、前述の表面プラズモン共鳴による効果を利用して測定を行う、所謂表面プラズモン共鳴測定装置として構成されたものとすることができる。また、前記薄膜層を、誘電体ブロックの前記上面に形成されたクラッド層と該クラッド層上に形成された光導波層からなるものとし、該光導波層における導波モードの励起による効果を利用して測定を行う、所謂漏洩モードセンサとして構成されたものとすることができる。
【００２１】
また、「測定対象物の屈折率情報を取得する」とは、例えば、薄膜層上に配される試料の屈折率自体を取得するものであってもよいし、あるいは薄膜層上に抗体等のセンシング物質を固定し、抗原抗体反応による屈折率の変化や変化の有無を取得するものであってもよい。
【００２２】
屈折率情報の取得方法は、界面に対して種々の入射角度で入射させた光ビームの該界面での反射光を検出して、全反射減衰角もしくはその角度変化を検出することにより屈折率もしくは屈折率変化を取得するものであってもよいし、また、D.V.Noort,K.johansen,C.-F.Mandenius, Porous Gold in Surface Plasmon Resonance Measurement, EUROSENSORS XIII, 1999, pp.585-588 に記載されているように、複数の波長の光ビームを前記界面で全反射条件が得られる入射角で入射させ、各波長毎に前記界面で全反射した光ビームの強度を測定して、各波長毎の全反射減衰の程度を検出することにより屈折率もしくは屈折率変化を取得するものであってもよい。さらに、P.I.Nikitin,A.N.Grigorenko,A.A.Beloglazov,M.V.Valeiko,A.I.Savchuk,O.A.Savchuk, Surface Plasmon Resonance Interferometry for Micro-Array Biosensing, EUROSENSORS XIII, 1999, pp.235-238 に記載されているように、光ビームを前記界面で全反射条件が得られる入射角で入射させるとともに、この光ビームの一部を、この光ビームが前記界面に入射する前に分割し、この分割した光ビームを、前記界面で全反射した光ビームと干渉させて、その干渉後の光ビームの干渉縞の変化を検出することにより屈折率の変化を取得するものであってもよい。
【００２３】
すなわち、「測定対象物の屈折率情報」とは、測定対象物の屈折率に応じて変化するものであればいかなるものでもよく、測定対象物の屈折率に応じて変化する全反射減衰角や全反射減衰を生じる光ビーム波長、測定対象物の屈折率変化に応じて変化する全反射減衰角の変化や全反射減衰を生じる光ビーム波長の変化あるいは干渉縞の変化等がその例である。
【００２４】
また、「所定温度に近い目標温度」とは、所定温度を基準に、測定結果が許容誤差範囲に入る温度差の温度を意味する。この目標温度は所定温度と同じであってもよい。
【発明の効果】
【００２５】
本発明の測定方法によれば、センサウェルユニットと、測定手段と、恒温部とを備えた測定装置を用いて、センサウェルユニットの温度が目標温度なるまで恒温部内にセンサウェルユニットを保管し、目標温度となったセンサウェルユニットについて、測定手段により測定を行う測定方法において、センサウェルユニットの温度を測定し、測定したセンサウェルユニットの温度と、恒温部の温度（所定温度）との差に基づいて、恒温部内に保管したセンサウェルユニットの温度が所定温度に近い目標温度になるまでの所要時間を推定し、恒温部内に複数のセンサウェルユニットを保管した際に、所要時間が早く経過したセンサウェルユニットから順に、恒温部から取り出して測定を行うようにしたため、恒温部内に保管する複数のセンサウェルユニットのなじませ時間を、温度差の大きいセンサウェルユニットのなじませ時間に合わせる必要がなくなるため、測定のスループットを向上させることができる。
【００２６】
本発明の測定装置によれば、センサウェルユニットと、測定手段と、恒温部に加え、センサウェルユニットの温度を測定する温度測定手段と、センサウェルユニットを、恒温部内から測定手段へ搬送する搬送手段と、搬送手段を制御する制御手段とを備え、制御手段を、温度測定手段により測定されたセンサウェルユニットの温度と、恒温部の温度（所定温度）との差に基づいて、恒温部内に保管されたセンサウェルユニットの温度が所定温度に近い目標温度になるまでの所要時間を推定し、恒温部内に複数のセンサウェルユニットが保管されている際に、搬送手段に、所要時間が早く経過したセンサウェルユニットから順に測定手段へ搬送させるものとすることにより、恒温部内に保管する複数のセンサウェルユニットのなじませ時間を、温度差の大きいセンサウェルユニットのなじませ時間に合わせる必要がなくなるため、測定のスループットを向上させることができる。
【００２７】
また、恒温部内に保管されるセンサウェルユニット毎に温度測定手段を設ける必要がないため、コストの増加を招くことなく装置を実現することが可能である。
【発明を実施するための最良の形態】
【００２８】
以下、図面を参照して本発明の実施の形態を詳細に説明する。
【００２９】
図１は、本発明の第１の実施の形態の測定装置の構成図を示すものである。図２は、上記測定装置の測定手段として用いられる表面プラズモン共鳴測定装置およびセンサウェルユニットの断面図を示すものである。図３は、上記表面プラズモン共鳴測定装置の変位測定手段およびセンサウェルユニットの配置を概略的に示した正面図である。図４（ａ）〜（ｃ）は、上記表面プラズモン共鳴測定装置のセンサ保持手段にセットされたセンサウェルユニットと静電プローブおよび光角度変位計との位置関係を模式的に示した上面図、正面図および側面図である。
【００３０】
本実施の形態の測定装置１は、試料が分注されるセンサウェルユニット20と、センサウェルユニット20に分注された試料の分析を行う測定手段としての表面プラズモン共鳴測定装置５と、表面プラズモン共鳴測定装置５を収容する測定部４と、所定温度に管理され、センサウェルユニット20を保管する恒温部３と、恒温部３の温度を測定する温度センサ６と、センサウェルユニット20の温度を測定する温度センサ９と、センサウェルユニット20を恒温部３、測定部４および装置外部に選択的に配置する搬送手段７と、センサウェルユニット20に対して試料の分注を行う分注器８と、表面プラズモン共鳴測定装置５、搬送手段７、分注器８を制御する制御手段としてのＣＰＵ２とを備えてなる。
【００３１】
センサウェルユニット20は、細長い透明な誘電体からなる本体21を備え、この本体21の上面21ａに開口し、所定の深さａを有する複数（例えば16個）の検体ウェル23が該本体21に一列に設けられ、各検体ウェル23の内底面23ａに金属膜12が蒸着により被着されてなるものである。すなわち、本体21は、後述の光ビームに対して透明な誘電体ブロック22と検体ウェル23の側壁を構成する試料保持部とが一体的に形成されてなるものであり、誘電体ブロック22の上面はすなわち検体ウェル23の内底面23ａに他ならない。したがって、検体ウェル23の内底面23ａに設けられた金属膜12とは誘電体ブロック22の上面に設けられた金属膜であり、検体ウェル23の内底面23ａと金属膜12との界面とは、誘電体ブロック22の上面と金属膜12との界面に相当するものである。また、センサウェルユニット20の本体21の外底面21ｃを位置測定用の基準面21ｃとしている。
【００３２】
本体21は例えば透明樹脂等からなり、検体ウェル23は開口部から下方に向かって次第に径が縮小する断面円形に構成されている。また、検体ウェル23の内底面23ａに設けられている金属膜12上には、さらに特定物質と結合するセンシング物質14が固定されている。この検体ウェル23には、例えば、検体を含む試料液が蓄えられる。
【００３３】
また、本体21の図中左端からは第１フランジ24が、右端からは第２フランジ25がそれぞれ延出しており、これらフランジ24，25は、互いに同じ厚さを有するとともに、本体21の上面21ａと面一（つらいち）の平坦な上面24ａ，25ａと、上面24ａ，25ａと平行平面をなす下面24ｂ，25ｂを備えている。
【００３４】
表面プラズモン共鳴測定装置５は、定盤17と、後述の６軸微動ステージ38上に配置された、センサウェルユニット20を定盤17の上方の所定位置に着脱自在に保持するセンサ保持手段18と、光ビームＬを出射する、検体ウェル23と同数の光源50A，50B，…50Pと、各光源50A，50B，…50Pから出射された光ビームＬを誘電体ブロック22に対して、該誘電体ブロック22の上面（すなわち検体ウェル23の内底面23ａ）に設けられた薄膜層との界面23ｂで全反射条件が得られるように種々の入射角度で入射させる、検体ウェル23と同数の光ビーム入射手段60A，60B，…60Pと、界面23ｂで反射された光ビームＬの強度を検出する、検体ウェル23と同数の光検出手段70A，70B，…70Pと、光検出手段70A，70B，…70Pの出力に基づいて全反射減衰角情報を取得するコンピュータシステム等からなる信号処理部10と、この信号処理部10に接続された表示手段11と、センサウェルユニット20の位置変位を測定する変位測定手段30と、センサウェルユニット20の位置を機械的に調整する、定盤17上に配置された６軸微動ステージ38および該ステージ38を駆動するための信号を出力する駆動手段39からなる位置調整手段とを備えてなる。本実施形態においては光検出手段70A，70B，…70Pと、信号処理部10により屈折率情報取得手段の一つである全反射減衰情報取得手段が構成されている。
【００３５】
なお、本実施形態においては、図中に示すように、定盤17に平行面をｘｙｗ面とし、該ｘｙｗ面内において光ビーム入射手段60、センサ保持手段18、光検出手段70の並び方向をｙｗ軸方向、それに直交する方向をｘｗ軸方向、ｘｙｗ面に垂直な方向をｚｗ軸方向としている。また、ｘｗ、ｙｗ、ｚｗの各軸周りの回転方向θｗ、φｗ、ψｗ方向、すなわちｙｚｗ面内における回転方向をθｗ、ｚｘｗ面内における回転方向をφｗ、ｘｙｗ面内における回転方向をψｗとしている。
【００３６】
６軸微動ステージ38は、互いに直交するｘｗ、ｙｗ、ｚｗ軸、および各軸周りの回転方向θｗ、φｗ、ψｗの６つの軸を有するステージであり、各軸が上述の定盤17を基準として定められた各軸方向と一致するように配置されている。
【００３７】
センサ保持手段18は、センサウェルユニット20の両フランジ24，25の下面24ｂ，25ｂを支持する部分を備え、該両フランジ24および25の下面24ｂ，25ｂで該センサウェルユニット20を支持して定盤17の上方の所定位置にセンサウェルユニット20を保持するものである。このセンサ保持手段18は、センサウェルユニット20をその検体ウェル23の並び方向が略ｘｗ軸方向に沿うように保持するものであり、センサウェルユニット20の定盤17に対する上下方向への変位というのはｚｗ軸方向への変位に他ならない（図２および図３参照）。
【００３８】
光ビーム入射手段60A，60B，…60Pと、光検出手段70A，70B，…70Pは、センサ保持手段18を挟むように定盤17にそれぞれ固定部２ａ、２ｂを介して配置されており、16個の検体ウェル23のそれぞれに１対の光ビーム入射手段60A，60B，…60Pと光検出手段70A，70B，…70Pが整合する状態に配設されている。
【００３９】
各光ビーム入射手段60A，60B，…60Pは、対応するレーザ光源50A，50B，…50Pから発散光状態で発せられた光ビームＬを平行光とするコリメータレンズ61、光ビームＬを集光する集光レンズ62とを備えてなる。
【００４０】
光検出手段70Aは、多数の受光素子が１列に配されてなるラインセンサから構成されており、光ビームＬの進行方向に対して受光素子の並設方向がほぼ直角となる方向（図２中の矢印Ａ方向）に配設されている。ラインセンサとしては、フォトダイオードアレイ、ＣＣＤラインセンサ等が挙げられるが、その他、光検出手段としては２分割フォトダイオードなどを用いてもよい。
【００４１】
変位測定手段30は、定盤17に対して固定された位置に配置された、５本の静電プローブ31a〜31eと、光角度変位計32と、該静電プローブ31a〜31eの制御を行うコンソール37とを備えてなり、これらによりセンサウェルユニット20の、直交座標軸ｘｗ，ｙｗ，ｚｗ軸および回転方向θｗ，φｗ，ψｗそれぞれへの変位を測定することができる。
【００４２】
図示の通り、センサウェルユニット20の長さ方向がｘｗ軸に沿うように、かつセンサウェルユニット20の上面がｚｗ軸に対して垂直となるように配置されている。
【００４３】
図４（ａ）に示す、センサウェルユニット20の第２フランジ25の側面25dに面するように配置されている静電プローブ31aはセンサウェルユニット20のｘｗ軸方向への変位を測定するものであり、センサウェルユニット20の第１フランジ24、第２フランジ25の側面24c，25cに面するように、互いに平行に配置されている２本の静電プローブ31bおよび31cはセンサウェルユニット20のｙｗ軸方向への変位を測定するものである。また、静電プローブ31bおよび31cの出力からセンサウェルユニット20の基準位置からのψｗ方向への変位（回転角度）を得ることができる。
【００４４】
図４（ｂ）に示す、センサウェルユニット20の本体21の基準面（外底面）21ｃに面するように、互いに平行に配置されている２本の静電プローブ31dおよび31eはセンサウェルユニット20のｚｗ軸方向への変位を測定するものであり、同時に、これら２本の静電プローブ31dおよび31eの出力から、センサウェルユニット20の基準位置からのφｗ方向への変位（回転角度）を得ることができる。
【００４５】
静電容量を測定する静電プローブ31a〜31eとしては、例えば、センササイズ直径が0.5ｍｍ、測定フルスケールが±25μｍのプローブを使用する。但し、センササイズおよび測定フルスケールはこれに限るものではない。
【００４６】
コンソール37は、静電プローブ31a〜31eのプローブ先端のセンサと測定対象面との間に静電容量を発生させ、対象面とセンサとの距離に応じて静電容量が変化することから測定対象面の変位を静電容量の変化として検出し、電圧に置換して出力するものである。なお、測定対象面となるセンサウェルユニット20の本体21の基準面（外底面）21ｃ、第１フランジ24、第２フランジ25の側面24ｃ，25ｃおよび25dにはそれぞれ金等の金属膜が蒸着により被着されている。
【００４７】
また、図４（ｃ）に示す、センサウェルユニット20のｘｗ軸方向中央下方に配置されている光角度変位計32は、光てこ型の光センサであり、センサウェルユニット20の基準面21ｃのｘｗ軸方向中央部に光ビームを入射させ、その反射光を受光してセンサウェルユニット20の、基準位置からのθｗ方向への変位（回転角度）を測定するものである。なお、センサウェルユニット20の基準面21ｃの光ビームが入射される部分は金等が蒸着されミラー面とされている。
【００４８】
駆動手段39は、変位測定手段30により測定されたセンサウェルユニット20の位置変位に応じて、センサウェルユニット20の位置が基準位置となるように、６軸微動ステージ38を駆動させるための駆動信号を出力するものである。
【００４９】
これにより、駆動手段39の出力を受け６軸微動ステージ38が駆動され、６軸微動ステージ38上のセンサ保持手段18の位置が微動調整され、結果としてセンサウェルユニット20の位置、すなわち界面23bの位置が調整される。
【００５０】
既述の通り、上記の表面プラズモン共鳴測定装置５を用いて、同一検体ウェル23について時間をおいて複数回測定し、検体とセンシング物質14の結合の有無を含む結合状態の変化を調べる場合、複数の試料についての効率的な測定を行うために、１回目の測定が終了した第１のセンサウェルユニット20をセンサ保持手段18から取外し、第２のセンサウェルユニット20を測定部に設置して測定を行い、もう一度第１のセンサウェルユニット20を設置して測定を行うという動作を繰り返すバッチ処理を行うことがある。この場合、センサウェルユニット20の温度を各測定毎に一定に管理しないと温度変動による測定誤差を生じてしまうため、センサウェルユニット20の温度が目標温度Ｔｇになるまで所定温度Ｔｃに管理された恒温部３に保管してなじませる必要があるが、測定を行うために一旦恒温部３から搬出されたセンサウェルユニット20は、恒温部３外の空気との温度差や、試料の化学反応による発熱等によって個々に温度が変動するため、測定が終了した後、恒温部３内で再び目標温度Ｔｇになじませるまでに掛かる時間がセンサウェルユニット20毎に異なる。
【００５１】
そのため、想定される中で最大の温度差のセンサウェルユニット20に合わせ、最大温度差のセンサウェルユニット20が目標温度Ｔｇになじむまでに要する所要時間を定め、恒温部３内に保管される全てのセンサウェルユニット20について保管してから所要時間経過した後に再測定を行うようにしなければならないため、測定のスループットが低下するという問題があった。また、恒温部３内に保管される全てのセンサウェルユニット20毎に温度センサ９を設けて温度を監視し、目標温度Ｔｇになじんだセンサウェルユニット20から測定を行うようにすることによりスループットの低下は避けられるが、コストの面からは不適当である。
【００５２】
そのため、本実施の形態による測定装置１は、センサウェルユニット20と、測定手段としての表面プラズモン共鳴測定装置５と、恒温部３に加え、センサウェルユニットの温度を測定する温度センサ９と、センサウェルユニット20を恒温部３、測定部４および装置外部に選択的に配置する搬送手段７と、搬送手段７を制御する制御手段としてのＣＰＵ２を備え、ＣＰＵ２を、温度センサ９により測定されたセンサウェルユニット20の温度Ｔｗと、恒温部３の温度（所定温度）Ｔｃとの差に基づいて、恒温部３内に保管されたセンサウェルユニット20の温度が所定温度Ｔｃに近い目標温度Ｔｇになるまでの所要時間ｔｇを推定し、恒温部３内に複数のセンサウェルユニット20が保管されている際に、搬送手段７に、所要時間ｔｇが早く経過したセンサウェルユニット20から順に表面プラズモン共鳴測定装置５へ搬送させるものとすることにより、恒温部３内に保管する複数のセンサウェルユニット20のなじませ時間を、温度差の大きいセンサウェルユニット20のなじませ時間に合わせる必要がなくなるため、測定のスループットを向上させることができる。
【００５３】
また、恒温部内に保管されるセンサウェルユニット20毎に温度センサ９を設ける必要がないため、コストの増加を招くことなく装置を実現することが可能である。
【００５４】
ここで、ＣＰＵ２による所要時間ｔｇの推定方法、およびセンサウェルユニット20の管理について詳細に説明する。図５は、温度勾配下でのセンサウェルユニット20の温度推移を示すグラフである。
【００５５】
温度勾配の存在下において、目標温度Ｔｇを（１）式のように定義する。
【００５６】
Ｔｇ＝（Ｔｗ−Ｔｃ）ｅｘｐ（−ｔｇ／τ）＋Ｔｃ  （１）
ただし、Ｔｗ：センサウェルユニット20の温度（℃）、Ｔｃ：恒温部３の温度（℃）、ｔｇ：センサウェルユニット20の温度が目標温度Ｔｇになるまでの所要時間（ｓ）、τ：熱時定数（ｓ）とする。なお、熱時定数τは、温度変化が定常値の６３．２％に達するまでの時間を表しており、センサウェルユニット20の形状や恒温部３内での設置環境によって予め定まる値である。
【００５７】
（１）式から、センサウェルユニット20の温度が目標温度Ｔｇになるまでの所要時間ｔｇは、（２）式のように表される。
【００５８】
ｔｇ＝τ×Ｉｎ（（Ｔｗ−Ｔｃ）／（Ｔｇ−Ｔｃ））  （２）
本実施の形態においては、センサウェルユニット20を恒温部３内へ搬入した際に温度センサ９でセンサウェルユニット20の温度Ｔｗを測定し、各センサウェルユニット20毎に、センサウェルユニット20の温度が目標温度Ｔｇになるまでの所要時間ｔｇを算出する。
【００５９】
所要時間ｔｇの算出が済んだセンサウェルユニット20は、恒温部３内の複数の設置位置のいずれかに設置され、保管される。
【００６０】
なお、設置位置には個別にＩＤが付与されており、ＣＰＵ２は、各センサウェルユニット20の所要時間ｔｇと、このセンサウェルユニット20の設置位置ＩＤとを関連つけて管理することにより、所要時間ｔｇが経過したセンサウェルユニット20を識別することが可能となる。
【００６１】
ＣＰＵ２は、恒温部３内に複数のセンサウェルユニット20が保管されている際に、搬送手段７に、所要時間ｔｇが早く経過したセンサウェルユニット20から順に表面プラズモン共鳴測定装置５へ搬送させる。
【００６２】
次に、表面プラズモン共鳴測定装置５による試料分析について説明する。なおここでは、センサウェルユニット20の16個の検体ウェル23のうち、光ビーム入射手段60Aおよび光検出手段70Aに整合する状態とされた１つの検体ウェル23を例に取って説明を行うが、その他の検体ウェル23においても測定は同様になされるものである。
【００６３】
表面プラズモン共鳴測定を行う際には、半導体レーザ等からなる光源50Aが駆動され、光源50Aから光ビームＬが発散光の状態で出射する。この光ビームＬは光ビーム入射手段60Aのコリメータレンズ61により平行光化され、集光レンズ62によって集光されて収束光状態で誘電体ブロック22に入射し、誘電体ブロック22の上面（すなわち検体ウェル23の内底面23ａ）と金属膜12との界面23ｂに対して種々の入射角成分を含む状態で入射する。なお、この入射角θの範囲は、上記界面23ｂにおいて光ビームＬの全反射条件が得られ、かつ、表面プラズモン共鳴が生じ得る角度範囲を含む範囲とされる。なおここで、検体ウェル23の内底面23ａと界面23ｂは略同一面とみなすことができる。
【００６４】
上記界面23ｂに入射した光ビームＬは該界面23ｂで全反射し、全反射した光ビームＬは光検出手段70Aによって検出される。光ビームＬは、上述の通り界面23ｂに対して種々の入射角成分を含む状態で入射するから、全反射した光ビームＬにも、種々の反射角で反射した成分が含まれることになる。光検出手段70Aにおいては、この種々の反射角で全反射された光ビームＬの各成分を、それぞれ異なる受光素子が受光し、各受光素子によって検出された上記反射光ビームＬの強度分布を示す信号を出力する。
【００６５】
界面23ｂに特定入射角θSPで入射した上記光ビームＬの成分は、金属膜12と該金属膜上の物質との界面に表面プラズモンを励起させるので、この光成分については反射光強度が鋭く低下する。つまり上記特定入射角θSPが全反射解消角であり、この角度θSPにおいて反射光強度は極小値を示す。この反射光強度が低下する領域は、反射した光ビームＬ中の暗線Ｄとして観察され、光検出手段70Aが出力する光量検出信号から各受光素子毎の検出光量を調べ、暗線を検出した受光素子の位置に基づいて上記入射角（全反射減衰角）θSPを求めることができる。図６は、光ビームＬの界面への入射角θと光検出手段70Aで受光した光ビームの光強度Ｉとの関係を概略的に示すものである。この全反射減衰角θSPは、ウェル底面の金属膜12に接している物質の誘電率つまりは屈折率が変化すると、それに応じて図６中において左右方向に変動する。なお、この入射角θおよび特定入射角θSPは、あくまでの界面への入射角をいうものであり、前述のｚｗ軸周りの回転方向θｗとは異なるものである。
【００６６】
本実施の形態において金属膜12の表面に固定されているセンシング物質14は、特定物質と結合するものであり、このセンシング物質14上に特定物質を含む試料液が滴下されると、特定物質とセンシング物質14との結合状態に応じて金属膜12上の測定対象物たるセンシング物質14の屈折率が変化して、図６の特性曲線が左右方向に移動する形に変化する（すなわち全反射減衰角θSPが左右方向に変動する）。そこで、全反射減衰角θSPの変化を測定することにより、試料液中に特定物質が存在するか否かを検出することができる。なおこの場合は、試料液15およびセンシング物質14の双方が、分析対象の試料となる。このような特定物質とセンシング物質との組合せとしては、例えば抗原と抗体とが挙げられる。
【００６７】
信号処理部10は、以上の原理に基づいて試料液15中の特定物質とセンシング物質14との反応状態を検出し、その結果を表示部11に表示する。
【００６８】
以上の測定操作は他の15個の検体ウェル23に対しても並行して同様になされ、16個の検体ウェル23に蓄えられている試料液15に対する測定が同時になされる。なお、16個の検体ウェル23に対する光ビームＬの照射および全反射減衰角θSPの検出は、互いに厳密に同時に行う必要はなく、開始あるいは終了の時間が互いに多少ずれていても構わない。
【００６９】
上述の通り、試料液15にセンシング物質14と結合する特定物質が存在するか否かは、試料液15を検体ウェルに分注する前後における全反射減衰角の変化を測定することにより検出することができる。なお、試料液の溶媒による屈折率変化の影響を除去するために、試料液分注前の測定は、試料液の溶媒と同一成分のバッファ液を検体ウェルに溜めた状態で行う。
【００７０】
試料液分注前の測定（反応前測定）と試料液分注後の測定（反応後測定）との間には、試料分注、および所定の反応時間等のための時間を要する。この測定間の時間を有効に活用するため、１つのセンサウェルユニット20についての反応前測定後に、一旦センサウェルユニット20を測定手段から外し、別のセンサウェルユニット20についての反応前測定（あるいは反応後測定）を行うというバッチ処理が行われており、これによりハイスループット化を実現することができる。
【００７１】
以下、本実施の形態の測定装置における、ＣＰＵ２による試料分析測定の制御手順を説明する。
【００７２】
試料分析測定に際しては、まず、外部に待機しているセンサウェルユニット20の各検体ウェル23へ分注器８によりバッファ液を分注させる。その後、センサウェルユニット20を、搬送手段７により恒温部３へ搬送させ、恒温部３内でセンサウェルユニット20の温度が目標温度Ｔｇとなるまで放置させる。
【００７３】
その後、センサウェルユニット20を、搬送手段７により表面プラズモン共鳴測定装置５のセンサ保持手段18に搬送させ、センサウェルユニット20の各検体ウェル23について、上述の反応前測定を実行完了させる。
【００７４】
反応前測定の後、センサウェルユニット20の各検体ウェル23に分注器８によりそれぞれ試料液15を分注させた後、センサウェルユニット20を搬送手段７により恒温部３内に戻させる。
【００７５】
その後、再び、センサウェルユニット20の温度が目標温度Ｔｇとなるまで放置させた後、搬送手段７により表面プラズモン共鳴測定装置５のセンサ保持手段18に搬送させ、センサウェルユニット20の各検体ウェル23について、上述の反応後測定を実行完了させる。
【００７６】
この反応後測定は、試料液15中にセンシング物質14と結合する特定物質が存在する場合両者が結合反応した状態でなされるものであり、この測定値から反応前の測定値を差し引くことにより、検体の反応のみによる屈折率変化を検出することができる。
【００７７】
このように、反応後測定は、反応前測定時のセンサウェルユニット20の温度と略同じ温度で行われるため、バッファ液による屈折率変化の影響を高精度に差し引き、検体の反応のみによる屈折率変化を高精度に検出することができる。
【００７８】
なお既述のとおり、１つのセンサウェルユニット20の反応前測定と反応後測定の間には、他の１または複数のセンサウェルユニット20の反応前測定もしくは反応後測定を行う。
【００７９】
なお、上述のような反応前後の変化を測定する場合のみならず、反応の時間経過を見るために、一定時間経過毎に複数回測定を行う場合にも略同一の温度を再現することができる。また、全反射減衰角に基づく対象試料の定量分析の際にも常に略同一の温度で測定を行うことにより、高い精度で試料の全反射減衰角の測定を行うことができ信頼性を向上させることができる。
【００８０】
次に、本発明の測定装置の第２の実施の形態について説明する。本実施の形態は、第１の実施の形態と比較して、測定手段を表面プラズモン共鳴測定装置から漏洩モードセンサに変更したものである。図７は、漏洩モードセンサ９およびセンサウェルユニット20’の断面図である。図２中の要素と同等の要素には同符合を付しており、それらについての説明は必要のない限り省略し、主として相違点のみ説明する。
【００８１】
この第２の実施の形態の測定装置における測定手段は、先に説明した漏洩モードセンサであり、本例においても上記と同様の複数のウェル23を備えたセンサウェルユニット20’に対応している。ただし、図７に示すようにウェル23の底面に金属膜にかえて、クラッド層40が形成され、さらにその上には光導波層41が形成されてなる。それ以外の構成は第1の実施の形態の表面プラズモン共鳴測定装置と同一である。
【００８２】
センサウェルユニット20’の本体21は、例えば合成樹脂やＢＫ７等の光学ガラスからなるものである。一方クラッド層40は、本体21（すなわちその一部である誘電体ブロック22）よりも低屈折率の誘電体や、金等の金属を用いて薄膜状に形成されている。また光導波層41は、クラッド層40よりも高屈折率の誘電体、例えばＰＭＭＡを用いてこれも薄膜状に形成されている。クラッド層40の膜厚は、例えば金薄膜から形成する場合で36.5ｎｍ、光導波層41の膜厚は、例えばＰＭＭＡから形成する場合で700ｎｍ程度とされる。
【００８３】
上記構成の漏洩モードセンサにおいて、光源50から出射した光ビームＬを誘電体ブロック22を通して各ウェル23のクラッド層40に対して全反射角以上の入射角で入射させると、該光ビームＬが誘電体ブロック22とクラッド層40との界面23ｂで全反射するが、クラッド層40を透過して光導波層41に特定入射角で入射した特定波数の光は、該光導波層41を導波モードで伝搬するようになる。こうして導波モードが励起されると、入射光のほとんどが光導波層41に取り込まれるので、上記界面23ｂで全反射する光の強度が鋭く低下する全反射減衰が生じる。
【００８４】
光導波層41における導波光の波数は、該光導波層41の上の試料液15の屈折率に依存するので、全反射減衰が生じる上記特定入射角を知ることによって、試料液15の屈折率や、それに関連する試料液15の特性を分析することができる。また、表面プラズモン共鳴測定装置の場合と同様に、光導波層41上に特定物質と結合するセンシング物質14を設けておくことにより、試料液15中の特定物質の有無等の検出を行うことができる。
【００８５】
本実施の形態においても、上記第１の実施の形態と同様の効果を得ることができる。
【００８６】
また、さらに別の測定装置を第３の実施の形態として以下に説明する。本実施の形態は、第１の実施の形態と比較して測定手段の態様を変更したものである。図８は、第３の実施の形態の測定装置における測定手段の要部構成を模式的に示した図である。なお、上述の各実施の形態と異なる、被検体とセンシング物質との結合状態を得る測定方法に関する部分のみ図８に示し以下に説明する。
【００８７】
本実施の形態の測定装置においては、センサウェルユニット20を挟んで光源320Ａ〜ＰとＣＣＤ360Ａ〜Ｐとが配設されており、これら光源320Ａ〜ＰとＣＣＤ360Ａ〜Ｐとの間には、コリメータレンズ350Ａ〜Ｐ、干渉光学系、集光レンズ355Ａ〜Ｐおよびアパーチャー356Ａ〜Ｐが配設されている。
【００８８】
上記干渉光学系は、偏光フィルタ351Ａ〜Ｐ、ハーフミラー352Ａ〜Ｐ、ハーフミラー353Ａ〜Ｐおよびミラー354Ａ〜Ｐにより構成されている。
【００８９】
さらに、ＣＣＤ360Ａ〜Ｐは信号処理部361に接続されており、信号処理部361は表示部362に接続されている。
【００９０】
以下、本実施の形態の測定装置における試料の測定について説明する。
【００９１】
光源320Ａ〜Ｐが駆動されて光ビーム330Ａ〜Ｐが発散光の状態で出射される。この光ビーム330Ａ〜Ｐはコリメータレンズ350Ａ〜Ｐにより平行光化されて偏光フィルタ351Ａ〜Ｐに入射する。偏光フィルタ351Ａ〜Ｐを透過して界面に対してｐ偏光で入射するようにされた光ビーム330Ａ〜Ｐは、ハーフミラー352Ａ〜Ｐにより一部がレファレンス光ビーム330Ｒとして分割され、ハーフミラー352Ａ〜Ｐを透過した残りの光ビーム330Ｓは界面に入射する。界面で全反射した光ビーム330Ｓおよびミラー354Ａ〜Ｐで反射したレファレンス光ビーム330Ｒはハーフミラー353Ａ〜Ｐに入射して合成される。合成された光ビーム330’は集光レンズ355Ａ〜Ｐにより集光され、アパーチャー356Ａ〜Ｐを通過してＣＣＤ360Ａ〜Ｐによって検出される。このとき、ＣＣＤ360Ａ〜Ｐで検出される光ビーム330’は、光ビーム330Ｓとレファレンス光ビーム330Ｒとの干渉の状態に応じて干渉縞を発生させる。
【００９２】
試料液15分注後から継続的に複数回測定し、ＣＣＤ360Ａ〜Ｐにより検出される干渉縞の変化を検出することにより、試料中の特定物質とセンシング物質との結合の有無を検出することができる。つまりこの場合は、上記特定物質とセンシング物質14との結合状態に応じてセンシング物質14の屈折率が変化すると、界面で全反射した光ビーム330Ｓおよびレファレンス光ビーム330Ｒがハーフミラー353Ａ〜Ｐにより合成される際に、干渉の状態が変化するため、上記干渉縞の変化に応じて結合を検出することができる。
【００９３】
信号処理部361は、以上の原理に基づいて上記反応の有無を検出し、その結果が表示部362に表示される。
【００９４】
本実施の形態においても、上記第１の実施の形態と同様の効果を得ることができる。
【００９５】
上記各実施の形態においては、１次元状に複数の検体ウェルが設けられているセンサウェルユニットを例に挙げて説明したが、検体ウェルを１つのみ有する従来の検体チップ状のセンサウェルユニット、あるいは２次元状に複数の検体ウェルが設けられているプレート状のセンサウェルユニットを備えた形態を取ることもできる。
【図面の簡単な説明】
【００９６】
【図１】第１の実施の形態の測定装置の構成図
【図２】上記測定装置の測定手段である表面プラズモン共鳴測定装置およびセンサウェルユニットの側断面図
【図３】上記表面プラズモン共鳴測定装置およびセンサウェルユニットの要部正面図
【図４】センサウェルユニットと上記表面プラズモン共鳴測定装置の静電プローブおよび光角度変位計との位置関係を模式的に示した上面図（ａ）、正面図（ｂ）および側面図（ｃ）
【図５】温度勾配下でのセンサウェルユニットの温度推移を示すグラフ
【図６】光ビーム入射角と検出光強度との関係を示す図
【図７】第２の実施の形態の測定装置の測定手段である漏洩モードセンサの側断面図
【図８】第３の実施の形態の測定装置の測定手段の要部概略構成を示す側断面図
【符号の説明】
【００９７】
１    測定装置
２    ＣＰＵ
３    恒温部
４    測定部
５    測定手段
６    温度センサ
７    搬送手段
８    分注器
９    温度センサ      
10    信号処理部
12    金属膜
14    センシング物質
15    試料液
20    センサウェルユニット
21    センサウェルユニット本体
21c    基準面
22    誘電体ブロック
23    検体ウェル
23a    検体ウェルの内底面（誘電体ブロックの上面）
23b    界面
30    変位測定手段
31a〜e    静電プローブ
32    光角度変位計
37    コンソール
38    ６軸微動ステージ
39    駆動手段
40    クラッド層
40    光導波層
50Ａ〜P    光源
60Ａ〜P    光ビーム入射手段
70Ａ〜P    光検出手段（フォトダイオードアレイ）
【図１】
2005274417.tif 000004
【図２】
2005274417.tif 000005
【図３】
2005274417.tif 000006
【図４】
2005274417.tif 000007
【図５】
2005274417.tif 000008
【図６】
2005274417.tif 000009
【図７】
2005274417.tif 000010
【図８】
2005274417.tif 000011